(57)【要約】【課題】排水口の閉塞を行う排水栓の設置構造において、排水栓を使用しない場合に、当該排水栓が縁部等のスペースを圧迫せず、且つ意匠性・汎用性の高い排水栓の設置構造の提供を課題とする。【解決手段】  排水栓１５は底部に略円筒形状の取付部１６を備え、連結部材２２によって固定部材２５と連結している。固定部材２５は上端近傍に前記排水栓１５の被取付部１６よりやや小さい外径の取付部２６を有している。前記取付部１６と被取付部２６は嵌合可能に構成されており、排水栓１５を使用しない場合等において、取付部１６と被取付部２６を嵌合させることによって、排水栓１５を固定部材２５に取付可能となる。【選択図】図２
2014084670.tif 000002
【特許請求の範囲】
【請求項１】
底部に排水口を備えた槽体と、
前記排水口の閉塞を行う排水栓と、
前記排水栓と連結された連結部材と、
前記連結部材を槽体等に固定する固定部材と、
から成り、
前記固定部材が取付部を備え、当該取付部において前記排水栓を取付可能であることを特徴とする排水栓の設置構造。
【請求項２】
底部に排水口を備えた槽体と、
前記排水口の閉塞を行う排水栓と、
前記排水栓と連結された連結部材と、
前記連結部材を槽体等に固定する固定部材と、
湯水を吐水する吐水栓と、
から成り、
前記吐水栓が取付部を備え、当該取付部において前記排水栓を取付可能であることを特徴とする排水栓の設置構造。
【請求項３】
前記固定部材が、当該固定部材の配置を槽体近傍の壁面等、所望の位置に適宜変更可能な着脱部を有することを特徴とする請求項１若しくは請求項２に記載の排水栓の設置構造。
【請求項４】
底部に排水口を備えた槽体と、
前記排水口の閉塞を行う排水栓と、
前記排水栓と連結された連結部材と、
前記連結部材を槽体等に固定する固定部材と、
前記排水栓を取付可能な取付部を有する取付部材と、
から成り、
前記取付部材が、槽体近傍の壁面等、所望の位置に適宜配置を変更可能な着脱部を有することを特徴とする排水栓の設置構造。
【請求項５】
前記排水栓の底面に、前記取付部に対応する被取付部が設けられていることを特徴とする請求項１乃至請求項４のいずれか１つに記載の排水栓の設置構造。
【請求項６】
前記取付部及び／若しくは被取付部が、抜脱防止機構を有することを特徴とする請求項１乃至請求項５のいずれか１つに記載の排水栓の設置構造。
【請求項７】
前記取付部及び／若しくは被取付部が、砂がみを防ぐリブを有することを特徴とする請求項１乃至請求項６のいずれか１つに記載の排水栓の設置構造。
【発明の詳細な説明】
【技術分野】
【０００１】
本発明は、洗面ボウルやシンク、浴槽等の、底部に排水口を備えた槽体に取り付けられる排水栓の設置構造に関するものである。
【背景技術】
【０００２】
洗面ボウルやシンク、浴槽等の槽体は、使用により排水が生じた排水を下水側へと排出する為、底部に排水口を備えている。
【０００３】
又、前記槽体は、その使用の用途によって内部に水を貯留することがあり、当該槽体内部に水を貯留する場合には、前記排水口から水が排出されないように、排水栓によって排水口を閉塞して使用する。
【０００４】
従来の排水栓はシリコン・ゴム等の弾性体部分を有し、当該弾性体部分が排水口と当接することによって、排水口を水密に閉塞する。又、排水栓は上部において連結部材と連結しており、排水栓及び連結部材は固定部材によって槽体等に固定されている。
【０００５】
しかし、上記従来の排水栓は、前述の通り槽体内部に水を貯留する場合にのみ使用されるものであって、水を貯留しない場合には槽体の縁部等に直接置いておくしかなかった。そして、排水栓を槽体の縁部等に直接置いていると、使用時に滑落したり、縁部のスペースが圧迫されたり、清掃の際の邪魔になったり、縁部に水垢が発生したりと、種々の不具合が生じていた。又、意匠性の良い物ではなかった。
【０００６】
そこで、下記特許文献１に記載の発明においては、槽体のオーバーフロー孔に排水栓を装着可能とし、上記不具合の解決を図っている。
【０００７】
しかし、当該特許文献１に記載の発明は、オーバーフロー孔を閉塞する構造の為、オーバーフロー孔の流量が低下してしまう。（完全には閉塞せず、機能が失われるわけではない。）
更に、特許文献１に記載の発明は槽体にオーバーフロー孔が必須の構成であるが、槽体のオーバーフロー孔の形状は多岐に渡り、常に排水栓の形状が当該オーバーフロー孔の形状に対応しているとは言えず、又、施工後に特許文献１に記載の発明を後付けすることはできなかった。そして、オーバーフロー孔を有さない槽体にはそもそも採用することができなかった。
【先行技術文献】
【特許文献】
【０００８】
【特許文献１】特開２０１２−１８７３６０号公報
【発明の概要】
【発明が解決しようとする課題】
【０００９】
そこで本発明は、排水口の閉塞を行う排水栓の設置構造において、排水栓を使用しない場合に、当該排水栓が縁部等のスペースを圧迫せず、且つ意匠性・汎用性の高い排水栓の設置構造の提供を課題とする。
【００１０】
上記課題を解決する為の請求項１に記載の本発明は、底部に排水口を備えた槽体と、
前記排水口の閉塞を行う排水栓と、
前記排水栓と連結された連結部材と、
前記連結部材を槽体等に固定する固定部材と、
から成り、
前記固定部材が取付部を備え、当該取付部において前記排水栓を取付可能であることを特徴とする排水栓の設置構造。である。
【００１１】
請求項２に記載の本発明は、底部に排水口を備えた槽体と、
前記排水口の閉塞を行う排水栓と、
前記排水栓と連結された連結部材と、
前記連結部材を槽体等に固定する固定部材と、
湯水を吐水する吐水栓と、
から成り、
前記吐水栓が取付部を備え、当該取付部において前記排水栓を取付可能であることを特徴とする排水栓の設置構造である。
【００１２】
請求項３に記載の本発明は、前記固定部材が、当該固定部材の配置を槽体近傍の壁面等、所望の位置に適宜変更可能な着脱部を有することを特徴とする請求項１若しくは請求項２に記載の排水栓の設置構造である。
【００１３】
請求項４に記載の本発明は、底部に排水口を備えた槽体と、
前記排水口の閉塞を行う排水栓と、
前記排水栓と連結された連結部材と、
前記連結部材を槽体等に固定する固定部材と、
前記排水栓を取付可能な取付部を有する取付部材と、
から成り、
前記取付部材が、槽体近傍の壁面等、所望の位置に適宜配置を変更可能な着脱部を有することを特徴とする排水栓の設置構造である。
【００１４】
請求項５に記載の本発明は、前記排水栓の底面に、前記取付部に対応する被取付部が設けられていることを特徴とする請求項１乃至請求項４のいずれか１つに記載の排水栓の設置構造である。
【００１５】
請求項６に記載の本発明は、前記取付部及び／若しくは被取付部が、抜脱防止機構を有することを特徴とする請求項１乃至請求項５のいずれか１つに記載の排水栓の設置構造である。
【００１６】
請求項７に記載の本発明は、前記取付部及び／若しくは被取付部が、砂がみを防ぐリブを有することを特徴とする請求項１乃至請求項６のいずれか１つに記載の排水栓の設置構造である。
【発明の効果】
【００１７】
請求項１、請求項２、請求項４に記載の本発明においては、排水栓を取付部に取付可能な構造となっている為、水垢の発生や取付場所からの滑落を防ぐことが可能となる。又、排水栓がしっかりと配置されている印象を使用者に与え、意匠性にも優れている。
請求項３に記載の本発明においては、固定部材が着脱部を備えていることにより、使用者が好む位置に固定部材を適宜変更することができる。これによって、使用者の使用状態に合わせた設置環境を提供することができる。（平素排水栓を使用しない人は槽体近傍の壁面に排水栓を設置しておくことで天面部等のスペースを広く使う等。）
請求項５に記載の本発明においては、排水栓の底面に被取付部を設けたことによって、比較的汚れが付着することが多い底面に触れることなく、使用者が取付部から排水栓を取り外すことが可能となる。
請求項６に記載の本発明においては、抜脱防止機構によって、排水栓と取付部及び取付部材が配置される方向が限定されなくなる。即ち、９０°を超える壁面に排水栓の取り付けを行う場合等においても、取付部から排水栓が滑落することを防ぐことができる。
請求項７に記載の本発明においては、取付部及び／若しくは被取付部に砂噛み防止のリブが設けられている。従って、排水栓の取り付けの際に、取付部との間に砂を巻き込むことによる不具合を防ぐことができる。
【００１８】
尚、上記各請求項において、「取付」とは嵌合・係合・螺合・貼着その他の取り付けを含むものであるが、部材同士が固定されるか否かを限定するものではない。
【図面の簡単な説明】
【００１９】
【図１】本発明の排水栓の設置構造を示す断面図である。
【図２】本発明の排水栓及び固定部材を示す断面図である。
【図３】本発明の排水栓の取り付け状態を示す断面図である。
【図４】本発明の第二実施形態に係る排水栓及び固定部材を示す断面図である。
【図５】本発明の第二実施形態に係る固定部材の固定方法を示す説明図である。
【図６】本発明の第二実施形態に係る排水栓の取り付け状態を示す断面図である。
【図７】本発明の第三実施形態に係る排水栓の取り付け状態を示す断面図である。
【図８】本発明の第四実施形態を示す（a）断面図（b）（a）のA-A断面図である。
【図９】本発明の第五実施形態に係る排水栓の取り付け状態を示す断面図である。
【図１０】本発明の第五実施形態に係る排水栓のその他の取り付け状態を示す断面図である。
【図１１】本発明に係る排水栓が吐水栓に取り付けられている状態を示す側面図である。
【発明を実施するための形態】
【００２０】
以下、図面を参照しながら本発明の排水栓の設置構造を説明する。尚、以下に記載する発明は実施形態の理解を容易にする為のものであり、これによって発明が制限して理解されるものではない。又、特に断りがない限り、図１に示す断面図を基準として上下左右を説明する。
【００２１】
以下に、図１乃至図３を使用して本発明の第一実施形態に係る排水栓の設置構造を説明する。
【００２２】
図１に示す槽体１は洗面ボウルであって、オーバーフロー孔２及び排水口３が開口しており、排水口３にはヘアキャッチャー８、排水栓１５が配置されている。又、槽体１の天面部４には吐水栓５及び後述する固定部材２５が取り付けられていると共に、石鹸等を載置するスペースを有している。尚、実施形態における天面部４は槽体１の周辺の縁部を含むものとする。
【００２３】
オーバーフロー孔２は槽体１の内壁部分に設けられた開口であり、後述するフランジ部１０へと流入するように流路が連続している。
排水口３は槽体１の底部に設けられた平面視略円形の開口であって、上面よりフランジ部材１０が挿通されている。
フランジ部材１０は略円筒状であって下方に雄螺子部を有し、パッキンを介して槽体１の裏面からロックナットによって排水口３に螺着されている。又、フランジ部材１０は側面において前記オーバーフロー孔２から連続する流路と連結しており、且つ下方において略Ｓ字形状の排水トラップ１１と連結している。従って、槽体１の内部に水が流入した際、当該水は排水口３よりフランジ部材１０の内周を通じて排水トラップ１１へと流入し、下流側の排水配管へと排出される。又、後述する排水栓１５が排水口３を閉塞している等の理由により槽体１内部に所定の量以上の水が貯留された場合、オーバーフロー孔２へと水が流入し、フランジ部材１０を通じて排水トラップ１１へと流入することによって下流側の排水配管へと排出される。
【００２４】
尚、上記フランジ部材１０は内部に網目部分を有するヘアキャッチャー８が配置されており、排水口３内に進入した毛髪等を捕集することができる。
【００２５】
上記構造を有する槽体１は排水栓１５を有し、当該排水栓１５を排水口３に嵌入させることにより排水口３を閉塞し、槽体１内に水を貯留することができる。
【００２６】
図２に示す排水栓１５は被取付部１６、壁部１７、凹部１８、リング受け１９を有し、連結部材２２を介して後述する固定部材２５と連結することで前記槽体１の天面部４に固定されている。
【００２７】
被取付部１６は排水栓１５の底部から上方に向けて設けられた、略円筒状の溝であって、後述する固定部材２５の取付部２６と嵌合することが可能な内径となっている。
壁部１７は被取付部１６の外周において円筒状に垂設されている。
凹部１８は上記壁部１７の外側上端部分に周設されており、パッキン２０が取り付けられている。
パッキン２０はシリコン・ゴム等の弾性体より形成され、排水栓１５が排水口３に取り付けられた際においてフランジ部材１０と当接し、排水口３より槽体１内部の水が排出されないように止水する。
排水栓１５の上面部は断面略弧状に形成されており、中心にリング受け１９が突設されている。又、リング受け１９には孔が形成されており、後述する連結部材２２の一端のリング２３aが貫通することで連結部材２２と連結する。
【００２８】
連結部材２２は上記排水栓１５と後述する固定部材２５を連結する、遊動可能なボールチェーンであって、両端部に排水栓１５及び固定部材２５と連結する為のリング２３a、リング２３bを有している。尚、各図面においては連結部材２２両端部分のみを記載し、中間の記載を省略している。
【００２９】
固定部材２５はステンレス材より形成される略筒状であって、取付部２６、リング受け２７、雄螺子部より成り、槽体１の天面部４を介してナット２８によって取り付けられている。
【００３０】
取付部２６は固定部材２５の上端近傍の筒状部分であって、排水栓１５の被取付部１６よりやや小さい外径に形成されている。
リング受け２７は上記取付部２６の下方に形成され、前述した排水栓１５のリング受け１９と同様に孔が開口しており、連結部材２２の他端のリング２３bと連結している。
尚、固定部材２５の下端近傍の外周にはナット２８と螺合する為の雄螺子が形成されている。
【００３１】
上記固定部材２５は槽体１の天面部４に設けられた孔６に上方から挿通され、槽体１の下方よりナット２８によって螺着されている。
又、この時、固定部材２５は連結部材２２を介して排水栓１５と連結しており、固定部材２５が天面部４に固定されることによって連結部材２２及び排水栓１５も天面部４に固定されることとなる。
【００３２】
上記第一実施形態において、槽体１内部に水を貯留する場合、前記排水栓１５を排水口３に嵌入して使用する。この時、排水栓１５の凹部１８に取り付けられたパッキン２０がフランジ部１０と当接することで排水口３が閉塞され、槽体１内部に水を貯留することができる。
【００３３】
又、排水栓１５を使用しない場合（即ち、槽体１内部に水を貯留しない場合）、排水栓１５の被取付部１６を固定部材２５の取付部２６に嵌合させることによって、固定部材２５の上方に載置嵌合することができる。
この時、図３に示すように、排水栓１５の底部が天面部４より離間する為、排水栓１５の下方に水垢が発生することを防ぐことができると共に、取付部２６と被取付部１６の嵌合によって、使用時・清掃時等に排水栓１５が天面部４より滑落することを防ぐことができる。又、排水栓１５がしっかりと天面部４に整頓されている印象を使用者に与え、意匠性にも優れている。
【００３４】
次に、図４乃至図６を使用して本発明の第二実施形態に係る排水栓の設置構造を説明する。尚、第二実施形態以降において、槽体１等、一部の構成要素については、上記第一実施形態と同一のものを使用する為、その記載を省略する。
【００３５】
図４に示す排水栓１５は被取付部１６、壁部１７、凹部１８、リング受け１９を有し、連結部材２２を介して後述する固定部材２５と連結することで槽体１の天面部４に固定されている。
【００３６】
被取付部１６は排水栓１５の底部から上方に向けて設けられた、略円筒状の溝であって、後述する固定部材２５の取付部２６と嵌合することが可能な径となっている。
壁部１７は被取付部１６の外周において円筒状に垂設されている。
凹部１８は上記壁部１７の外側上端部分に周設されており、パッキン２０が取り付けられている。
パッキン２０はシリコン等の弾性体より形成され、排水栓１５が排水口３に取り付けられた際においてフランジ部材１０と当接し、排水口３を閉塞する。
【００３７】
排水栓１５の上面部は断面略弧状に形成されており、中心にリング受け１９が突設されている。又、リング受け１９には孔が形成されており、後述する連結部材２２の一端のリング２３aが貫通することで連結部材２２と連結する。
【００３８】
連結部材２２は上記排水栓１５と後述する固定部材２５を連結する、遊動可能なボールチェーンであって、両端部に排水栓１５及び固定部材２５と連結する為のリング２３a、２３bを有している。
【００３９】
固定部材２５はステンレス材等より形成される略筒状であって、取付部２６、リング受け２７、着脱部３０より成り、槽体１の天面部４、若しくは内壁部分等、使用者が所望する位置に着脱可能な構造となっている。
【００４０】
取付部２６は固定部材２５の上端近傍の筒状部分であって、排水栓１５の被取付部１６よりやや小さい径に形成されている。
リング受け２７は上記取付部２６の下方に形成され、前述した排水栓１５の被取付部１６のリング受け１９と同様に孔が開口しており、連結部材２２の他端のリング２３bと連結している。
着脱部３０は、固定部材２５の下端に形成されている、シリコン等の弾性部材より形成される吸盤であり、上面部に突起を備え、又、底面に平滑な吸着面を備えている。
【００４１】
図５に示すように、上記固定部材２５を固定する際、使用者は槽体１の天面部４や内壁部分、更には槽体１近傍等、使用者が所望する適宜箇所に固定部材２５を押しつける。この時、図５（b）に示すように、着脱部３０が弾性変形すると共に吸着面と上記箇所の間の空気が抜けていき、吸着面と上記箇所の間が真空状態となることで、着脱部３０（固定部材２５）を所望の位置に固定することができる。
又、この時、固定部材２５は連結部材２２を介して排水栓１５と連結しており、固定部材２５が天面部４に固定されることによって連結部材２２及び排水栓１５も固定されることとなる。
尚、固定部材２５を取り外す際には、着脱部３０の上面部に設けられた上記突起を引っ張ることで、容易に取り外すことが可能である。
【００４２】
上記第二実施形態においては、図６に示すように、使用者は所望する適宜位置に固定部材２５を配置することができる。（即ち、所望する適宜位置に排水栓１５を配置することができる。）又、使用状況に合わせ、配置箇所を随時変更可能である。例えば、平素においては槽体１の近傍の壁面に固定部材２５を取り付け、排水栓１５を取り付けることにより天面部４のスペースを確保し、使用する時にのみ配置箇所を変更する等、各使用者に合わせた使用方法を提供することができる。
【００４３】
尚、上記第二実施形態においては、着脱部３０は固定部材２５の下端に形成されていたが、本発明は上記構造に限られるものではない。又、固定部材２５が排水栓１５と嵌合する構造に限られるものではない。例えば、図７に示す本発明の第三実施形態のように、着脱部３０、及び取付部２６を備える取付部材３２を固定部材２５とは別部材としてもよい。この場合においても、使用者は所望する適宜位置に排水栓１５を取り付けることが可能になる。
【００４４】
又、上記第一乃至第三実施形態においては、取付部２６と被取付部１６は面によって接触していたが、本発明はこれに限られるものではない。
図８に示す第四実施形態に係る排水栓１５は、被取付部１６の内周にリブ３５が等間隔に４箇所垂設されており、嵌合時において、当該リブ３５のみが取付部２６と線接触する。従って、リブ３５と取付部２６が線接触している部分以外には隙間が形成される。
上記第四実施形態においては、取付部２６と被取付部１６との間に砂等が混入した場合に、上記隙間に砂等が移動することによって、取付時において、砂等を噛み込むこと（砂がみ）が無くなる。
【００４５】
尚、被取付部１６を平滑に形成し、リブ３５を取付部２６に設けても良く、被取付部１６と取付部２６の両方にリブ３５を設けても良い。又、当然に、リブ３５の形状を変更することによって点接触しても良い。
【００４６】
又、図９や図１０に示す第五実施形態のように、排水栓１５の抜脱防止機構として、取付部２６外周及び被取付部１６の内周に対応する凹凸を設けることによって、嵌合時に取付部２６及び被取付部１６を係合させ、ロックしても良い。この場合においては固定部材２５の取付角度が急である場合であっても排水栓１５の滑落を防ぐことが可能となる。
【００４７】
上記凹凸による抜脱防止機構以外にも、取付部２６にOリングを取り付けることによって抜脱防止機構を形成するなど、種々の方法を採用しても良い。
尚、上記各実施形態において、固定部材２５の取付部２６は排水栓１５の被取付部１６よりもやや小さい径に形成されていたが、同一の径であっても良く、又、取付部２６の径が被取付部１６よりも大きな径であっても良い。取付部２６の径を被取付部１６の径よりも大きく形成する場合は、排水栓１５の被取付部１６をシリコン等の弾性部材によって成形する等の方法を採用することによって、嵌合時に被取付部１６が拡径し、しっかりと排水栓１５を取り付けることが可能となる。尚、この場合においては、被取付部１６自体が抜脱防止機構として機能する。
【００４８】
本発明の実施形態は以上であるが、当然に、本発明は上記各施形態に記載した構造に限られるものではない。
【００４９】
例えば、本発明の槽体１は洗面ボウルに限られるものでは無く、浴槽やシンク等を槽体１として本発明の構造を採用してもよい。
【００５０】
又、図１１に示すように、吐水栓５が取付部２６を有し、排水栓１５を吐水栓５に取り付けても良い。
【００５１】
第二実施形態及び第三実施形態において、固定部材２５は所望の位置に適宜配置を変更可能な吸盤を着脱部３０として備えていたが、本発明は当該形状に限られるものでは無く、粘着性のシートを取り付ける等、その他の形状であっても良い。又、前記第一実施形態における雄螺子部を着脱部３０としても良い。
【符号の説明】
【００５２】
１    槽体
３    排水口
４    天面部
５    吐水栓
１０  フランジ部材
１５  排水栓
１６  被取付部
２２  連結部材
２５  固定部材
２６  取付部
３０  着脱部
３２  取付部材
３５  リブ
【図１】
2014084670.tif 000003
【図２】
2014084670.tif 000004
【図３】
2014084670.tif 000005
【図４】
2014084670.tif 000006
【図５】
2014084670.tif 000007
【図６】
2014084670.tif 000008
【図７】
2014084670.tif 000009
【図８】
2014084670.tif 000010
【図９】
2014084670.tif 000011
【図１０】
2014084670.tif 000012
【図１１】
2014084670.tif 000013